【手続補正書】
【提出日】平成16年6月22日(2004.6.22)
【手続補正１】
【補正対象書類名】明細書
【補正対象項目名】特許請求の範囲
【補正方法】変更
【補正の内容】
【特許請求の範囲】
【請求項１】
プレゼンタが操作するコンピュータから送信される画像をプロジェクタで投影するとともに同プロジェクタでの投影画像を視聴者が視認できるようにする画像表示システムであって、
上記プロジェクタは、
外部コンピュータと双方向通信を行うプロジェクタ通信制御手段と、
同プロジェクタ通信制御手段を介して上記プレゼンタが操作するコンピュータが送信する画像データを受信するプロジェクタ画像データ受信手段と、
同受信した画像データが示す画像を投影する投影手段と、
上記プロジェクタ通信制御手段を介して上記受信した画像データを視聴者が操作するクライアントコンピュータに送信する画像データ送信手段とを備え、
上記クライアントコンピュータは、
上記プロジェクタと双方向通信を行うクライアント通信制御手段と、
同クライアント通信制御手段を介して上記送信された画像データを取得するクライアント画像データ受信手段と、
同受信した画像データが示す画像を画面上に表示する表示手段とを備えることを特徴とする画像表示システム。
【請求項２】
上記プロジェクタ通信制御手段は上記プレゼンタが操作するコンピュータと双方向通信を行って当該コンピュータが送信する上記画像データの配信可否を示すデータを受信し、上記画像データ送信手段は上記画像データの配信許可を示すデータを受信しているときに当該画像データを上記クライアントコンピュータに送信することを特徴とする上記請求項１に記載の画像表示システム。
【請求項３】
上記クライアント画像データ受信手段は上記クライアント通信制御手段を介して上記プロジェクタに対する接続要求を行い、上記画像データ送信手段は上記画像データの配信許可を示すデータを受信しているときに上記プロジェクタ通信制御手段を介して上記接続要求に対して接続許可を行って上記画像データを送信することを特徴とする上記請求項２に記載の画像表示システム。
【請求項４】
上記クライアント画像データ受信手段は上記プロジェクタの投影画像の視聴者のみが視認できるパスワードの入力を受け付けるパスワード入力部を備え、上記接続要求の際に当該受け付けたパスワードを送信し、上記画像データ送信手段は当該送信されるパスワードを受信して正規のパスワードであるか否かを判別するパスワード判別部を備えており正規のパスワードであると判別されたときに上記画像データを送信することを特徴とする上記請求項３に記載の画像表示システム。
【請求項５】
上記画像データ送信手段は上記受信した画像データをそのまま上記クライアントコンピュータに送信し、上記表示手段は上記投影手段と同じアルゴリズムによって画像データを展開して画像を画面上に表示することを特徴とする上記請求項１〜請求項４のいずれかに記載の画像表示システム。
【請求項６】
プレゼンタが操作するコンピュータから送信される画像を投影するとともに同投影画像を視聴者が視認できるようにするプロジェクタであって、
外部コンピュータと双方向通信を行うプロジェクタ通信制御手段と、
同プロジェクタ通信制御手段を介して上記プレゼンタが操作するコンピュータが送信する画像データを受信するプロジェクタ画像データ受信手段と、
同受信した画像データが示す画像を投影する投影手段と、
上記プロジェクタ通信制御手段を介して上記受信した画像データを視聴者が操作するクライアントコンピュータに送信する画像データ送信手段とを備えることを特徴とするプロジェクタ。
【請求項７】
プレゼンタが操作するコンピュータから送信される画像をプロジェクタで投影するとともに同プロジェクタでの投影画像を視聴者が視認できるようにする画像表示方法であって、
上記プロジェクタにて、上記プレゼンタが操作するコンピュータが送信する画像データを双方向通信を介して受信し、同受信した画像データが示す画像を投影するとともに当該受信した画像データを視聴者が操作するクライアントコンピュータに対して双方向通信を介して送信し、
上記クライアントコンピュータにて上記送信された画像データを双方向通信を介して受信し、同受信した画像データが示す画像を画面上に表示することを特徴とする画像表示方法。
【請求項８】
プレゼンタが操作するコンピュータから送信される画像を投影するとともに同投影画像を視聴者が視認できるようにするプロジェクタ制御方法であって、
上記プレゼンタが操作するコンピュータが送信する画像データを双方向通信を介して受信し、同受信した画像データが示す画像を投影するとともに当該受信した画像データを視聴者が操作するクライアントコンピュータに対して双方向通信を介して送信することを特徴とするプロジェクタ制御方法。
【請求項９】
プレゼンタが操作するコンピュータから送信される画像をプロジェクタで投影するとともに同プロジェクタでの投影画像を視聴者が視認できるようにする画像表示プログラムであって、
上記プロジェクタに、
外部コンピュータと双方向通信を行うプロジェクタ通信制御機能と、
同プロジェクタ通信制御機能を介して上記プレゼンタが操作するコンピュータが送信する画像データを受信するプロジェクタ画像データ受信機能と、
同受信した画像データが示す画像を投影する投影機能と、
上記プロジェクタ通信制御機能を介して上記受信した画像データを視聴者が操作するクライアントコンピュータに送信する画像データ送信機能とを実現させ、  上記クライアントコンピュータに、
上記プロジェクタと双方向通信を行うクライアント通信制御機能と、
同クライアント通信制御機能を介して上記送信された画像データを取得するクライアント画像データ受信機能と、
同受信した画像データが示す画像を画面上に表示する表示機能とを実現させることを特徴とする画像表示プログラム。
【請求項１０】
プレゼンタが操作するコンピュータから送信される画像を投影するとともに同投影画像を視聴者が視認できるようにするプロジェクタ制御プログラムであって、
外部コンピュータと双方向通信を行うプロジェクタ通信制御機能と、
同プロジェクタ通信制御機能を介して上記プレゼンタが操作するコンピュータが送信する画像データを受信するプロジェクタ画像データ受信機能と、
同受信した画像データが示す画像を投影する投影機能と、
上記プロジェクタ通信制御機能を介して上記受信した画像データを視聴者が操作するクライアントコンピュータに送信する画像データ送信機能とをプロジェクタの制御コンピュータに実現させることを特徴とするプロジェクタ制御プログラム。
【手続補正２】
【補正対象書類名】明細書
【補正対象項目名】０００７
【補正方法】変更
【補正の内容】
【０００７】  プロジェクタ通信制御手段およびクライアント通信制御手段においては上記プレゼンタが操作するコンピュータおよび視聴者が操作し得るクライアントコンピュータを双方向通信可能に接続できれば良く、通信線やプロトコル，規格等は限定されない。例えば、有線ネットワーク，無線ネットワークのいずれでも良いし、ＴＣＰ，ＵＤＰ等種々のプロトコルを採用可能であるし、イーサネット（イーサネットは富士ゼロックス株式会社の登録商標）の各規格やＩＥＥＥ１３９４，ＵＳＢ等種々の規格であっても実現可能である。
【手続補正３】
【補正対象書類名】明細書
【補正対象項目名】００１５
【補正方法】変更
【補正の内容】
【００１５】  さらに、配信可否を制御する構成例として、クライアントコンピュータにて入力されるパスワードを利用する構成を採用することも可能である。すなわち、クライアント画像データ受信手段によって上記プロジェクタの投影画像の視聴者のみが視認できるパスワードの入力を受け付け、クライアントコンピュータからプロジェクタに対して接続要求を行う際にパスワードを送信する。そして、プロジェクタ側の画像データ送信手段で当該送信されるパスワードを受信し、パスワード判別部によって正規のパスワードであるか否かを判別すれば、正規のパスワードが入力されたクライアントコンピュータに対してのみ画像データを送信するようにすることができる。
【手続補正４】
【補正対象書類名】明細書
【補正対象項目名】００４１
【補正方法】変更
【補正の内容】
【００４１】  配信許可あるいは不可の設定を行うと、プロジェクタ制御プログラム３３はステップＳ２４０にて通信制御部３２にネットワークＩ／Ｆ３１を監視させ、プレゼンテーション画面を示す画像データを受信し、図示しないＲＡＭ内に一時記憶させる。すなわち、受信した各パケットを結合して画像データを取得し、ＲＡＭに記憶させる。ステップＳ２４５ではこの受信した画像データを投影制御部３４に受け渡し、プレゼンテーション画像を投影させる。すなわち、投影制御部３４は、一時記憶された画像データを処理し、必要に応じて適宜圧縮処理や暗号化処理の展開を行うなどして投影部３５で画像を表示可能なデータを生成し、画像を投影させる。
【手続補正５】
【補正対象書類名】明細書
【補正対象項目名】００４７
【補正方法】変更
【補正の内容】
【００４７】  （４）クライアントＰＣでの処理：  次に、クライアントＰＣ４０における受信制御プログラム４３の処理を図４に示すフローチャートに従って詳述する。本実施形態においてクライアントＰＣ４０はプロジェクタ３０と通信を行い、プレゼンタＰＣ２０とは通信を行わない。ステップＳ３００では、受信制御プログラム４３が通信制御部４２を介してプロジェクタ３０に対して接続要求を送信する。すなわち、通信制御部４２にネットワークＩ／Ｆ４１を介して接続要求を示すパケットを送信させる。
【手続補正６】
【補正対象書類名】明細書
【補正対象項目名】００４９
【補正方法】変更
【補正の内容】
【００４９】  ステップＳ３４０ではこの受信した画像データを表示制御部４４に受け渡し、プレゼンテーション画像をクライアントＰＣ４０の画面上に表示させる。すなわち、表示制御部４４は、一時記憶された画像データを処理し、必要に応じて適宜圧縮処理や暗号化処理の展開を行うなどして表示部４５で画像を表示可能なデータを生成し、画像を表示させる。そして、ステップＳ３４０にて通信制御部４２にネットワークＩ／Ｆ４１を監視させ、最終のプレゼンテーション画面を受信したか否かを判別することによりプレゼンテーションが終了したと判別されるまで上記ステップＳ３２０以降の処理を繰り返す。
【手続補正７】
【補正対象書類名】図面
【補正対象項目名】図１
【補正方法】変更
【補正の内容】
【図１】
2004287160.tif 000001
【手続補正８】
【補正対象書類名】図面
【補正対象項目名】図３
【補正方法】変更
【補正の内容】
【図３】
2004287160.tif 000002